(57)【要約】【課題】筆記具のような比較的小さな物に使用した場合には、繰り返して脱着を行っていると、何れか一方の山部が削られ、崩れてしまって螺合不能な状態に陥ることがあった。即ち、物が小さいが故に部材の肉厚が薄く、その結果、山部の高さを十分採ることが出来ず低くしなければならないのである。【解決手段】雄ネジと雌ネジの螺合構造であって、その雄ネジと雌ネジにおける山部の幅を異ならしめた螺合構造。【選択図】　図１
2004084789.tif 000002
【特許請求の範囲】
【請求項１】
雄ネジと雌ネジの螺合構造であって、その雄ネジと雌ネジにおける山部の幅を異ならしめたことを特徴とする螺合構造。
【請求項２】
前記雄ネジと雌ネジの硬度を異ならしめたことを特徴とする請求項１記載の螺合構造。
【請求項３】
前記雄ネジを樹脂材質で形成し、雌ネジを金属材質で形成すると共に、雄ネジの山部の幅を雌ネジの山部の幅よりも大きくしたことを特徴とする請求項１或いは、請求項２に記載の螺合構造。
【請求項４】
前記雄ネジが形成されている部材と雌ネジが形成されている部材は弾撥部材によって互いが付勢されていることを特徴とする請求項１〜請求項３の何れかに記載の螺合構造。
【請求項５】
前記雄ネジと雌ネジを前軸と後軸とから構成される軸筒に形成すると共に、その軸筒内に芯繰り出し機構を配置したことを特徴とする請求項１〜請求項４の何れかに記載の螺合構造。
【発明の詳細な説明】
【０００１】
【発明の属する技術分野】
本発明は、雄ネジと雌ネジの螺合構造に関する。
【０００２】
【従来の技術】
１例として実公平８−１９１０号公報を挙げ説明する。その公報には、外軸３の先端部に先具１を取り付けた筆記具が記載されており、それら外軸３と先具１は、段落０００７にも記載されているように螺着によって固定されている。そして、その螺着構造は、一般的なネジ構造となっている。即ち、雄ネジや雌ネジに形成される山部の谷部からの高さは、同等なものとなっており、それらが互いに螺合している。
【０００３】
【発明が解決しようとする課題】
しかし、前記螺合構造が比較的大きな物（製品）に使用されているならば問題は発生しないが、筆記具のような比較的小さな物に使用した場合には、繰り返して脱着を行っていると、何れか一方の山部が削られ、崩れてしまって螺合不能な状態に陥ることがあった。即ち、物が小さいが故に部材の肉厚が薄く、その結果、山部の高さを十分採ることができず低くしなければならないのである。この様な現象は、ネジが形成される材質が樹脂や金属に限られず、前記肉厚が薄くなるに従って顕著となる。
【０００４】
【課題を解決するための手段】
本発明は、雄ネジと雌ネジの螺合構造であって、その雄ネジと雌ネジにおける山部の幅を異ならしめたことを要旨とする。
【０００５】
【実施例】
軸筒の内部にシャープペンシルが配置され、後部に配置されているノック部材を押圧操作することによって前記シャープペンシルが突出する、いわいる、出没式の筆記具（シャープペンシル）を１例として挙げ説明するが、これに限定されるものではない。内部に配置される物がボールペンであっても良いし、筆記具に限らず、電子入力ペンなどであっても良い。また、出没式の筆記具に限らず、例えば、キャップの着脱によってボールペンのペン先を保護するような一般的な筆記具に適用させても良い。
軸筒１の前端には、先部材２が螺着などの手段によって着脱自在に固定されているが、軸筒１は樹脂製の前軸１ａと金属製の後軸１ｂとから構成されており、それらは螺合によって着脱自在に固定されているが、この螺合構造については。後に詳述する。その前軸１ａの前方部には、グリップ機構３が挿着されているが、このグリップ機構３は、弾性内筒３ａと金属製の外筒３ｂから構成されているが、前記弾性内筒の１部分が外筒の孔から露出している。
前記軸筒１の内部には、中軸４が前後動自在に配置されており、その中軸４の先端には先具６が螺着などの手段によって着脱自在に固定されている。その先具６の先端には、芯をガイドし、案内する芯保護管７が圧入・固定されているが、先具６と一体的に形成しても良い。これら先具６や芯保護管７は、常時は、弾撥部材８によって後方に付勢され、前記軸筒１内に収納されているが、中軸が前進移動することによって、先部材２の先端から突出し得るようになっている。即ち、前軸１ａと後軸１ｂは、間接的ではあるが、前記弾撥部材によって互いが付勢されているのである。尚、中軸４は、前軸１ａ（軸筒１）に対して前後動可能ではあるが、回転不能に配置されているのである。これによって、前記先具６と中軸４とを容易に着脱することができる。
【０００６】
一方、前記軸筒１の後部には、軸筒１の径方向に付勢されたクリップ９が固定されており、そのクリップ９の先端内側には玉部１０が形成されている。そして、中軸４が前進すると、クリップ９の前方部分が軸筒１の径方向に倒れ込むように回転し、クリップ９の係合部１１が中軸４の後端部１２に係合するのである。ここで、前記クリップ９は、クリップ本体１３と弾性状の連結部材１４とから構成されている。その連結部材１４の一端は、前記軸筒１に固定されており、また、他端はクリップ本体１３に固定されている。さらに詳述すると、その連結部材１４の中間部には屈曲部１５が形成されている。そして、その屈曲部１５は、連結部材１４と軸筒１との固定部１６とは離隔した位置に形成されている。即ち、軸筒１の固定部１６から離れた位置にクリップ本体１３との固定部１７が設けられているのである。そして、この離隔部分の全域を利用しても、連結部材１４を弾性変形させているのである。
また、本例におけるクリップ９は、その前端にて前記中軸４の外面に当接し、径方向への没入が阻止されるようになっている。これによって、後出する芯タンクへの玉部１０の接触が回避され、もって、摺動する芯タンクへの傷などが防止されている。
【０００７】
前記中軸４の内側には、芯タンク１８が摺動自在に配置されており、その芯タンク１８の前端には、継手部材１９ａと中継部材１９ｂを介して芯の把持・解放を行うチャック体２０が固定されている。また、チャック体２０の前方部分には、そのチャック体２０の開閉を行うチャックリング２１が囲撓している。そして、チャック体２０の前方には、芯の後退を阻止するゴム状弾性体からなる芯戻り止め部材２２が位置しており、その芯戻り止め部材２２は前記先具６の内面に圧入・固定されている。符号Ｓは、前記芯タンク１８やチャック体２０などを後方に付勢するコイルスプリングなどの弾撥部材であり、中軸４と中継部材１９ｂとの間に張設されている。
他方、前記芯タンク１８の後部には、消しゴムホルダー２３が圧入・固定されており、その消しゴムホルダー２３には、消しゴム２６が座金２９を介して着脱自在に嵌入されている。また、その消しゴムホルダー２３には、消しゴム２４を覆うようにノック部材２６が着脱自在に取り付けられている。
【０００８】
ここで、前記軸筒１の螺合構造、即ち、樹脂製の前軸１ａと金属製の後軸１ｂの螺合構造について詳述する。ネジの谷部から外表面までの肉厚がない場合や、ネジのピッチを細かくできない場合など、ネジの山部の高さを十分取れない場合では、通常、雌ネジを形成する場合、そのネジの谷部はタップの形状に形成されるため幅が狭くなってしまい雌ネジ側が台形ネジになってしまう。この台形ネジに軟らかい樹脂製などの雄ネジを螺合させると、雄ネジの山部の引っ掛かりが少ないため、その山部が削れ螺合不能になってしまう。本実施例はネジのピッチに相当する引っ掛かり高さ（谷の径、内径）が採れない場合に有効なネジ形成方法を目的とする。後軸１ｂの前端内面に形成されている雌ネジ２７の隣り合う山部２７ａの間に形成される谷部２７ｂは、通常の幅よりも大きな幅Ｗとなっている。
一方、前記前軸１ａには、その雌ネジ２７に螺合する雄ネジ２８が形成されている。その雄ネジ２８の山部２８ａの頂部には、前記雌ネジ２７の谷部２７ｂに密着する幅の広い平坦部２８ｂが形成されている。即ち、形成可能な引っ掛かりの高さを雄ネジ側に偏らせた状態になっているのである。この様に構成することによって、軟らかい樹脂製の雄ネジ２８の山部２８ａの幅ｗを幅広く形成することができ、もって、少ない山部の高さで剛性、並びに、耐久性を向上させることができている。
また、前記雄ネジを金属材質で形成し、雌ネジを樹脂材質で形成した場合には、雌ネジの山部の幅を雄ネジの山部の幅よりも大きくすればよい。
【０００９】
次に使用例について説明する。ノック部材２６を押圧すると、弾撥部材８の弾撥力に抗して前記中軸４並びに、芯タンク１８などが前進移動し、先部材２の先端から先具６並びに、芯保護管７が突出する。この時、中軸４の後端１２が、連結部材１４の係合部１１に係合し、前記弾撥部材８の復帰力による後退動作が阻止される。この時、クリップ９は一時的に軸筒１から離隔するが、前記連結部材１４の離隔部分の湾曲変形も作用している。ここで、更にノック部材２６を押圧すれば、芯タンク１８やチャック体２０が前進し、芯の繰り出し操作が行われる。
再び、先具６を先部材２内に収納したい場合には、前記クリップ９をその後部を押圧し持ち上げ、係合部１１と中軸後端１２との係合を解除する。この時も、前述したように前記連結部材１４の離隔部分も湾曲し、クリップ９の前方が持ち上げられる。その解除によって中軸４などは、弾撥部材８によって後方に復帰する。
尚、本例においては、この中軸の後退状態において、チャック体が拡開し、芯を解放するようになっている。即ち、芯を突出させた状態で収納しても、芯が解放されているため、例え外力が付与されたとしても芯が容易に収納される様になっているのである。また、チャック体が拡開した状態で中軸が後退するため、最後退位置に達した際おける衝撃による、チャック体の芯の喰いちぎりを防止することができる。
【００１０】
【発明の効果】
本発明は、雄ネジと雌ネジの螺合構造であって、その雄ネジと雌ネジにおける山部の幅を異ならしめたので、経時的に安定した螺合構造を得ることができる。
【図面の簡単な説明】
【図１】本発明の１例を示す縦半断面図。
【図２】図１の要部拡大図。
【符号の説明】
１　　　軸筒
２　　　先部材
３　　　グリップ部材
４　　　中軸
６　　　先具
７　　　芯保護管
８　　　弾撥部材
９　　　クリップ
１０　　玉部
１１　　係合部
１２　　後端部
１３　　クリップ本体
１４　　連結部材
１５　　屈曲部
１６　　固定部
１７　　固定部
１８　　芯タンク
１９ａ　継手部材
１９ｂ　中継部材
２０　　チャック体
２１　　チャックリング
２２　　芯戻り止め部材
２３　　消しゴムホルダー
２４　　消しゴム
２５　　座金
２６　　ノック部材
２７　　雌ネジ
２８　　雄ネジ
２９　　　　座金
【図１】
2004084789.tif 000003
【図２】
2004084789.tif 000004